(57)【要約】【課題】リニヤスケールにおいて精度の高い原点位置を設定できるようにする。【解決手段】１１はメインスケール、１２は内部に図示されていないが、メインスケール１１を照射するための光源と、少なくとも原点位置を検出するための一対の受光素子を備えているインデックスホルダを示す。１３はインデックスホルダ１２の前面に設けられているインデックススケールである。１５（ａ、ｂ、ｃ）はこのメインスケール１１の所定の位置（通常はスケールの端部、または中央部）に設けられている第１の格子窓で、格子窓で光を反射することによって原点位置を示すことになる。１６はインデックススケール１３に設けられている光を透過する第２の格子窓であり、１６ａ、１６ｂ、１６ｃ、１６ｄの４個の窓によって構成されている。そして、前記第１の格子窓１５の３個の窓１５ａ、１５ｂ、１５ｃから反射された光を透過し、その光が図示されていない一対の受光素子によって２系統の検出信号として検出されるようになされている。【選択図】　　図１
2004085475.tif 000002
【特許請求の範囲】
【請求項１】
相対的に変位する２つの部材からなる一方のスケールに、３位置に分離され原点位置を示す第１の格子窓（１５ａ、１５ｂ、１５ｃ）を設けると共に、前記一方のスケールと対峙して移動するように配置されている他方のスケールに中央部で分離されている２組の第２の格子窓（１６ａ、１６ｂ）（１６ｃ、１６ｄ）と、該２組の格子窓の透過光を受光する一対の受光素子を設け、前記一対の受光素子から得られた２系統の検出信号をそれぞれ加算及び減算を含む信号処理によって、相対的に移動可能とされている前記２つのスケールの特定位置から原点信号が得られるようにしたことを特徴とする原点設定型リニヤスケール。
【請求項２】
前記一対の受光素子に入力される光は、前記一方のスケールの原点位置である前記第１の格子窓（１５）から反射された反射光とされていることを特徴とする請求項１に記載の原点設定型リニヤスケール。
【請求項３】
上記格子窓の単位寸法ｔに対して、上記第１の格子窓を構成する３個の原点位置の寸法は１ｔ、７ｔ、１ｔの長さとされ、前記２組の第２の格子窓はそれぞれ２ｔ、２ｔの長さによって構成されていることを特徴とする請求項２に記載の原点設定型リニヤスケール。
【発明の詳細な説明】
【０００１】
【発明の属する技術分野】
本発明は、二物体間の相対移動量を測定するリニヤスケールに関するものであり、特にこのようなスケールにおいて、基準位置を原点信号として出力することにより、例えば、工作機械等の移動量を絶対値で知ることができるようにした原点設定型リニヤスケールに関するものである。
【０００２】
【従来の技術】
工作機械等において、被加工物に対する工具の相対移動量を正確に測定することは、精密加工を行う上で極めて重要であり、このための測定装置が種々製品化されている。
そのひとつとして、光学格子を２枚重ね合わせることにより得られるモアレ縞を利用した光学式スケールが従来から知られている。この光学式スケールは、
図５に示すように透明のガラススケール１００の一面に透光部と非透光部が所定のピッチで配列するよう格子（刻線）を設けたメインスケール１０１と、透明のガラススケール１０２の一面に透光部と非透光部が所定のピッチで配列するよう格子（刻線）を設けたインデックススケール１０３とを有し、同図（ａ）に示すように、このメインスケール１０１にインデックススケール１０３を微小間隔を持って対向させると共に、同図（ｂ）に示すように、メインスケール１０１の格子に対し微小角度傾けられるようにインデックススケール１０３の格子を配置している。
【０００３】
なお、メインスケール１０１及びインデックススケール１０３に設けた格子は、ガラススケール１００，１０２にクロムを真空蒸着し、エッチングすることにより形成された同一ピッチの格子により形成されている。
このように配置すると、図６に示すモアレ縞が発生する。このモアレ縞の間隔はＷとなり、間隔Ｗ毎に暗い部分あるいは明るい部分が発生する。この暗い部分あるいは明るい部分は、メインスケール１０１に対し、インデックススケール１０３が相対的に左右に移動する方向に応じて上から下、あるいは下から上に移動していく。この場合、メインスケール１０１及びインデックススケール１０３の格子のピッチをＰ、相互の傾斜角度をθ［ｒａｄ］とすると、モアレ縞の間隔Ｗは、
Ｗ＝Ｐ／θ
と示され、モアレ縞の間隔Ｗは、光学的に格子間隔Ｐを１／θ倍に拡大した間隔とされていることになる。そして、格子が１ピッチＰ移動すると、モアレ縞はＷだけ変位することになり、Ｗ内のスリットの透過光や反射光をの変化を読み取ることにより、１ピッチＰ内の移動量を精密に測定することができるようになる。
【０００４】
モアレ縞の変化は図７に示すように、モアレ縞の変化を光学的に検出する光電変換素子（受光素子）１１０をインデックススケールに設け、メインスケールの反対側に光源を設けるようにして、メインスケール１０１に対しインデックススケール１０３を相対的に移動させながら、この光電変換素子１１０に流れる電流を検出して、その変化を読み取る。
【０００５】
すなわち、メインスケール１０１に対しインデックススケール１０３がＡの状態となっていると、光電変換素子１１０に照射される光量は最も多くなり、光電変換素子１１０に流れる電流は最大値Ｉ１　となる。次に、相対的に移動してＢの状態になると、光電変換素子１１０に照射される光量はやや減少し、その電流はＩ２となり、更に、移動してＣの状態になると光電変化素子１１０には最も少ない光量が照射され、その電流も最も小さいＩ３　となる。そして、更に移動してＤの状態になると、光電変換素子１１０に照射される光量はやや増加し、その電流はＩ２　となり、Ｅの状態になるまで移動すると、再び最も光量の多い位置となり、その電流は最大値Ｉ１　となる。
このように、光電変換素子１１０に流れる電流は正弦波状に変化すると共に、その変化が１周期経過した時に、格子間隔Ｐだけメインスケール１０１とインデックススケール１０３とが相対的に移動したことになる。
【０００６】
ところで、このように構成された光学式スケールは、ＮＣ工作機械に取りつけられて被加工物と工具との相対的移動量を測定しているが、一般に数値制御する場合は原点からの移動量としてプログラムされるため、この相対的移動量は原点からの移動量として測定する必要がある。そこで、通常メインスケールに予め原点位置が設けられ、この原点位置をインデックススケールが通過した時に原点が検出され、この原点検出信号はＮＣ装置に供給されてＮＣ装置をリセットすることにより、原点位置をＮＣ装置にセッテイングするようにしていた。
そこで、上記したような光電式リニヤスケールにおいて、例えばその一例を示すと図８（ａ）に示すようにメインスケール１０１の刻線位置とは異なる所定のトラック位置に、基準点となる原点Ｚを示す刻線（格子）１０９を設け、この原点となる格子１０９、およびインデックススケール１０３を通過する光をモアレ縞として検出する原点位置用の光電変換素子を配置しておくと、メインスケール１０１とインデックススケール１０３が特定の位置関係になっているときだけを原点の信号として検出することができるようになる。
【０００７】
すなわち、図８（ｂ）に示すように、この原点Ｚの位置においてもメインスケール１０１の１ピッチＰの間で図７の場合と同様に変化する信号Ｓｚが原点検出信号として検出されるから、この原点検出信号Ｓｚの波形のピーク点を、例えば同図（ｂ）に示すように所定のレベルＴＨでクリップして原点パルス信号Ｐｚを形成すると、この原点パルス信号Ｐｚの立ち上がり点をメインスケールの原点Ｚとすることができる。
【０００８】
【発明が解決しようとする課題】
上記したようなリニヤスケールは、通常はメインスケールとインデックススケールの双方を光が透過して相対的な移動距離や、原点信号を検出できるようにしている光透過型にするため、スケールを透過させる光源部分とこの光源部分に対峙するように、光を検出する受光素子を別々に設ける必要があり、装置が複雑になると共に大型化するという問題があった。
【０００９】
そこで、インデックススケール側に発光源と受光素子の両方を設け、メインスケールで反射した光をインデックススケール側で検出し、スケールの移動距離を測定する光反射型の装置も開発されているが、この場合はメインスケールとインデックススケール間のギャップ（間隔）が広くなり検出感度が低下するという問題が生じる。
特に原点信号の場合は検出感度が低下すると検出波形がなまり、精度の高い原点信号を得ることが困難になる。
【００１０】
【課題を解決するための手段】
本発明の原点設定型リニヤスケールは上記したような問題点を解消するために、特に原点信号の検出波形が鋭い信号波形となるようにしたもので、
相対的に変位する２つの部材からなる一方のスケールに、３カ所を原点位置とするような第１の格子窓（１５）を設けると共に、前記一方のスケールと対峙して移動するように配置されている他方のスケールに２組の第２の格子窓（１６）と、該第２の格子窓を透過した光を検出する一対の受光素子を設ける。
そして、前記一対の受光素子から得られた２系統の信号をそれぞれ加算及び減算する信号処理によって、前記相対的に移動可能とされている前記２つのスケールの特定位置から原点信号が得られるようにしたことを特徴とするものである。
【００１１】
前記一対の受光素子に入力される光は、前記一方のスケールの原点位置である前記第１の格子窓から反射された反射光とすることによって測定装置を簡易化できるようにすると共に、上記格子窓の単位寸法ｔに対して、上記第１の格子窓を構成する３個の原点位置の寸法は１ｔ、７ｔ、１ｔの長さとされ、前記２組の第２の格子窓は２ｔ、２ｔの長さによって構成することによりスケールの移動に対して検出波形の鋭い信号波形が得られるようにする。
【００１２】
【作用】
本発明によれば、原点が複数個に分割された格子窓によって形成されているので、スケールが相対的に移動したときに、原点位置を検出する検出信号波形の立ち上がり、及び立ち下がり点が急峻になるため、特に反射型のリニヤスケール装置に適応したときに有効である。
【００１３】
【発明の実施の形態】
以下、本発明の限定設定型リニヤスケールの主要部を説明する。
図１は原点設定のためのスケールと格子窓の様子を模式的に示したもので、１１は相対的な移動量と原点を測定するためのメインスケール、一点鎖線の部分１２は前面側にインデックススケール１３が配置されているインデックスホルダである。
このインデックスホルダ１２の内部には図示されていないが、例えばスケールの下方から前記メインスケール１１を照射する光源が設けられており、さらに一対の受光素子も設けられている。
【００１４】
１４ａはメインスケールに刻設されているメインスリット（主格子）、１４ｂはインデックススケール１３に形成されているサブスリット（副格子）であって、前記したようにこのスリットの重なりによってモアレ縞が発生し、メインスケール１１とインデックススケール１３の相対的な移動量を測定できるようになされている。
【００１５】
１５はメインスケール１１の所定の位置に形成されている原点信号発生用の第１の格子窓であり、本発明の実施例では図示されているように３点の位置１５ａ、１５ｂ、１５ｃに反射用のマークが配置されている。
また、この第１の格子窓１５によって反射した光が入射するように前記インデックススケール１３の側に第２の格子窓１６が設けられている。
この第２の格子窓１６は１６ａ、１６ｂ、１６ｃ、１６ｄからなる４個の窓によって構成されており（１６ａ、１６ｂ）と（１６ｃ、１６ｄ）を２組として反射光を検出するように構成されている。
すなわち、図示されていないが第２の格子窓の一方の組（１６ａ、１６ｂ）を透過した光を検出するために図示されていないが１個の受光素子が設けられ、同じく他方の組の格子窓（１６ｃ、１６ｄ）を透過した光を検出するために１個の受光素子が設けられている。
【００１６】
図２は、原点位置を検出するための第１の前記格子窓１５と、第２の格子窓１６の詳細な寸法を示している。
この図にみられるようにスケール上の単位寸法を「ｔ」（例えば０．３２ｍｍ）とすると、第１の格子窓を構成する各格子窓１５（ａ、ｂ、ｃ）は単位寸法「ｔ」の間隔をあけて、それぞれ１ｔ、７ｔ、１ｔの長さとなるように構成されている。
また、第２の格子窓１６を構成する各格子窓１６（ａ、ｂ、ｃ、ｄ）は同じくスケールの単位寸法を「ｔ」とすると、全部２ｔの長さとなるように構成され、間隔は１６ａと１６ｂの間がｔ、１６ｂと１６ｃの間が４ｔ、１６ｃと１６ｄの間がｔとなるように配置されている。
【００１７】
図３（ａ）はメインスケールとインデックススケールの相対的移動によって第２の格子窓１６（ａ、ｂ、ｃ、ｄ）を透過して検出された原点位置近傍の検出信号を示している。
この図で検出信号Ｚ１は第２の格子窓（１６ａ、１６ｂ）を透過した光の強度変化であり、検出信号Ｚ２は第２の格子窓（１６ｃ、１６ｄ）を透過した光の強度変化を示しており横軸は移動距離、縦軸は出力レベルである。
この図から理解できるように検出信号の変化は、特に「ｔ」の期間は単位寸法「ｔ」だけスケールが移動したときに最大レベルの１／２の変化分として得られていることがわかる。
したがって、この期間ｔの信号変化を信号処理により抽出すると原点信号の立ち上がり立ち下がりが急峻な信号波形を得ることができる。
このように、一対の受光素子の中で一方の受光素子は検出信号Ｚ１を他方の受光素子は検出信号Ｚ２を検出する。
【００１８】
図４は原点信号を得るための回路例を示すブロック図でデジタル信号処理回路によって構成されている。
すなわち、デジタル信号に変換された検出信号Ｚ１，Ｚ２はまず加算回路２１に供給されて加算処理が行われ、その加算出力がコンパレータ２２に供給されることによって図３（ｂ）のＡ信号を作る。
また検出信号Ｚ１，Ｚ２は同時に減算回路２３に供給され、その減算出力をウィンドウコンパレータ２４に供給することによって図３（ｂ）のＢ信号を形成する。
前記Ａ信号、及びＢ信号は次に論理積回路（アンドゲート）２５に供給され論理積をとることによって図３（ｂ）のＣ信号のように原点位置でのみピークレベルとなるパルス信号を得ることができる。
【００１９】
本願発明は上記したようにメインスケールに設けられている第１の格子窓１５（ａ、ｂ、ｃ）で反射された光を、インデックススケール１３に開口して刻設されている第２の格子窓１６（ａ、ｂ、ｃ、ｄ）を透過させることによって、２系統の検出信号Ｚ１，Ｚ２を得、この検出信号を処理することによって原点信号が得られるようにしているので、従来の単にモアレ縞をスライスした信号に比較してより精度の高い原点信号を得ることができる。
【００２０】
なお、上記の実施例ではメインスケール１１の第１の格子窓１５（ａ、ｂ、ｃ）で反射された光を受光するように構成したが、メインスケール１１の第１の格子窓１５（ａ、ｂ、ｃ）を透過するようにバックライトを設け、このメインスケールの後面から照射されたバックライトが同時にインデックススケール１３の第２の格子窓１６（ａ、ｂ、ｃ、ｄ））を透過する場合の検出光によって原点信号を形成するようにしてもよい。
【００２１】
【発明の効果】
本発明は以上説明したように、メインスケール上に複数個の原点位置を設定すると共に、この原点位置で反射した信号、またはこの原点位置を透過した信号を２組の第２の格子窓を通過するように構成し、透過した光を一対の受光素子によって検出すると共に、２系統の検出信号の信号処理によって原点信号を形成するようにしているので、原点位置で急峻に変化する原点信号を作ることができるという効果を奏する。
そのため、特にスケール間のギャップが広い場合でも、高い精度で原点信号が得られるという利点がある。
【図面の簡単な説明】
【図１】原点設定型リニヤスケールと、原点及びスケールの相対的な移動量を検出する検出部の説明図である。
【図２】第１の格子窓と第２の格子窓の詳細な寸法関係を説明する説明図である。
【図３】スケールの移動距離と検出信号レベルの関係を示す波形図である。
【図４】２組の検出信号の信号処理を説明するためのブロック図である。
【図５】光学式スケールの原理図である。
【図６】モアレ縞の説明図である。
【図７】モアレ縞の移動を示す図である。
【図８】原点信号を得るためのスケールの一例を示す説明図である。
【符号の説明】
１１　メインスケール
１２　インデックスホルダ
１３　インデックススケール
１４ａ，１４ｂ　主副スリット
１５（ａ、ｂ、ｃ）第１の格子窓
１６（ａ、ｂ、ｃ、ｄ）第２の格子窓
【図１】
2004085475.tif 000003
【図２】
2004085475.tif 000004
【図３】
2004085475.tif 000005
【図４】
2004085475.tif 000006
【図５】
2004085475.tif 000007
【図６】
2004085475.tif 000008
【図７】
2004085475.tif 000009
【図８】
2004085475.tif 000010